(57)【特許請求の範囲】
【請求項１】
配電機器の上面に取り付けられた本体取付部材と、
同本体取付部材の両側部に起伏可能に軸支された一対の吊下げボルトと、
一対の同吊下げボルトの間にそれらの軸方向に変位可能に架設される支え部材と、
同支え部材が架設された同吊下げボルトに螺合されるナットとを備え、
電柱上の腕金を前記本体取付部材及び前記支え部材により挟持し、前記ナットを締め付けることにより配電機器本体が電柱上の腕金に取り付けられる配電機器の取付装置において、
前記本体取付部材には、配電機器を吊り上げる際に吊り上げられる吊部と、一対の前記吊下げボルトを軸支する軸部と、同吊部及び同軸部を接続する接続部とが一体形成されてなる吊部材が設けられ、
同吊部は前記支え部材の上方、且つ一対の前記吊下げボルトの間隙に位置するとともに、同吊部の上部が一対の同吊下げボルトの先端以下の高さに位置し、
前記吊部材の吊部及び接続部は、吊下げた際に前記吊下げボルトに接触しないよう吊下げボルトに対して傾いて形成され、
前記吊部材の接続部は前記吊下げボルトに対して配電機器の後方へ傾いて形成され、前記吊部材の吊部は同吊下げボルトに対して配電機器の前方へ傾いて形成される
ことを特徴とする配電機器の取付装置。
【請求項２】
請求項１に記載の配電機器の取付装置において、
前記吊下げボルトの前記支え部材と前記ナットとの間には、下端が前記支え部材の上面に接し、上端が前記吊部材の接続部より上方に位置するスペーサが環装される
ことを特徴とする配電機器の取付装置。
【発明の詳細な説明】
【技術分野】
【０００１】
この発明は、開閉器等の配電機器を電柱上に設けられた腕金に取り付ける取付装置に関する。
【背景技術】
【０００２】
開閉器等の配電機器を電柱上に設けられた腕金に取り付ける際は、配電機器の本体上面に設けられた取付装置の吊部にワイヤー等を掛けてクレーン等により吊り上げて装着していた。（例えば、特許文献１、特許文献２参照。）。
【０００３】
特許文献１に記載の配電機器の取付装置は、本体上面に取付金具が取り付けられ、同取付金具の両端部に吊下げボルト（計４本）が吊上フックの軸部にそれぞれ回動可能に取り付けられている。片側の各吊下げボルトには支え部材が水平状にそれぞれ取り付けられ、各吊下げボルトと支え部材とにより配電機器が吊下げ状態で腕金に取り付けられる。配電機器を電柱に取り付ける際には、２箇所もしくは４箇所の吊上フックにワイヤー等を係止してクレーン等で吊り上げて上昇させている。
【０００４】
また、特許文献２に記載の配電機器の取付装置は、本体上面に取付金具が取り付けられ、同取付金具の両端部に吊下げボルト（計４本）がそれぞれ回動可能に取り付けられている。取付金具には、取付金具に係合する係合子及び先端に吊上部を有する略コ字状に形成された吊上金具が設けられている。片側の各吊下げボルトには支え部材が水平状にそれぞれ取り付けられ、各吊下げボルトと支え部材とにより配電機器が吊下げ状態で腕金に取り付けられる。配電機器を電柱に取り付ける際には、吊上金具の吊上部にワイヤー等を係合してクレーン等で吊り上げて上昇させている。
【特許文献１】特開２００１−２３４８１号公報
【特許文献２】実開昭５４−１３５６５９号公報
【発明の開示】
【発明が解決しようとする課題】
【０００５】
しかしながら、上記特許文献１に記載の配電機器の取付装置は、吊り上げ時に配電機器が傾斜すると、不安定であり、電柱上の腕金への取り付け作業が煩雑となっていた。また、上記特許文献２に記載の配電機器の取付装置は、吊上金具が吊下げボルト、支え部材、ナット等を囲むように大きな略コ字状に形成されているため、吊り上げ時に電線が既に架設されている場合には、電線が邪魔になって所定の位置に配置するには支障が生じ、電柱上の腕金への取り付け作業が煩雑となっていた。そこで、吊り上げる際に配電機器が傾斜せず、また、電線が既に架設されている場合でも所定の位置に配置することのできる配電機器の取付装置、すなわち電柱上の腕金への取り付け作業が容易な配電機器の取付装置が求められていた。
【０００６】
この発明は、こうした実情に鑑みてなされたものであり、その目的は、電柱上の腕金への取り付け作業が容易な配電機器の取付装置を提供することにある。
【課題を解決するための手段】
【０００７】
以下、上記目的を達成するための手段及びその作用効果について説明する。
請求項１に記載の発明は、配電機器の上面に取り付けられた本体取付部材と、同本体取付部材の両側部に起伏可能に軸支された一対の吊下げボルトと、一対の同吊下げボルトの間にそれらの軸方向に変位可能に架設される支え部材と、同支え部材が架設された同吊下げボルトに螺合されるナットとを備え、電柱上の腕金を前記本体取付部材及び前記支え部材により挟持し、前記ナットを締め付けることにより配電機器本体が電柱上の腕金に取り付けられる配電機器の取付装置において、前記本体取付部材には、配電機器を吊り上げる際に吊り上げられる吊部と、一対の前記吊下げボルトを軸支する軸部と、同吊部及び同軸部を接続する接続部とが一体形成されてなる吊部材が設けられ、同吊部は前記支え部材の上方、且つ一対の前記吊下げボルトの間隙に位置するとともに、同吊部の上部が一対の同吊下げボルトの先端以下の高さに位置し、前記吊部材の吊部及び接続部は、吊下げた際に前記吊下げボルトに接触しないよう吊下げボルトに対して傾いて形成され、前記吊部材の接続部は前記吊下げボルトに対して配電機器の後方へ傾いて形成され、前記吊部材の吊部は同吊下げボルトに対して配電機器の前方へ傾いて形成されることをその要旨としている。
【０００８】
同構成によれば、配電機器本体が吊り上げる際に吊り上げる吊部を支え部材の上方、且つ一対の吊下げボルトの間隙に位置するとともに、吊部の上部が一対の吊下げボルトの先端以下の高さに位置する。このため、吊部の高さを抑えることができるので、配電機器の高さが高くなることはない。よって、配電機器を吊り上げる際に電線が既に架設されている場合でも所定の位置に配置することのでき、電柱上の腕金への取り付け作業が容易となる。また、配電機器の取付装置は、吊部と、一対の吊下げボルトを軸支する軸部と、吊部及び軸部を接続する接続部とが一体に形成されてなる吊部材を備えるため、吊部と軸部とを別部材で設ける必要がない。よって、部品点数を少なくすることができる。また、吊部材は軸部により起伏可能に軸支されるため、使用しない際には倒しておくことができ、小型化することができる。さらに、吊部材の接続部が吊下げボルトに対して配電機器の後方へ傾いて形成され、吊部材の吊部が吊下げボルトに対して配電機器の前方へ傾いて形成される。このため、例えば吊下げボルトを立設させた際に吊部材と吊下げボルトとの接触を抑制することができる。これにより、吊部材と吊下げボルトとの接触による損傷を抑制することができる。
【００２０】
請求項２に記載の発明は、請求項１に記載の配電機器の取付装置において、前記吊下げボルトの前記支え部材と前記ナットとの間には、下端が前記支え部材の上面に接し、上端が前記吊部材の接続部より上方に位置するスペーサが環装されることをその要旨としている。
【００２１】
同構成によれば、吊下げボルトの支え部材とナットとの間には、下端が支え部材の上面に接し、上端が吊部材の接続部より上方に位置するスペーサが環装されているため、ナットの取り付け位置が吊部材の接続部より上方に位置する。これにより、配電機器を電柱上の腕金に取り付けたり、取り外したりする際にナットを回動するラチェット工具が吊部材の接続部に接触することを抑制することができる。
【発明の効果】
【００２２】
本発明によれば、電柱上の腕金への取り付け作業が容易な配電機器の取付装置を提供することができる。
【発明を実施するための最良の形態】
【００２３】
（第１の実施形態）
以下、本発明にかかる配電機器の取付装置を開閉器に具体化した第１の実施形態について図１及び図２を参照して説明する。なお、図１及び図２（ａ）は、開閉器を電柱上の腕金に取り付けた状態を示している。
【００２４】
図１に示されるように、開閉器１の内部には図示しない固定電極と可動電極とが備えられるとともに、開閉器１の正面１ａには前記固定電極に対して前記可動電極を接離させるべく操作される操作ハンドル１０が設けられている。操作ハンドル１０には、開閉器１の正面１ａ下部に表記された前記可動電極の接離状態を示す「入」、「切」表示を指す下方に突出した指針が設けられている。開閉器１の操作ハンドル１０が設けられている正面１ａに対して垂直方向の両側面１ｄ，１ｅには、ブッシング１１，１２がそれぞれ突設されている。
【００２５】
図２（ａ）、（ｂ）に示されるように、開閉器１本体の上面１ｂには、同開閉器１をクレーン等により吊り上げられる際に用いるとともに、電柱上の腕金１５に取り付けられる際に用いる取付装置３が上面１ｂに沿って配置されて、開閉器１本体に取り付けられた４本のボルト２７と４つのナット２８とにより開閉器１本体に固定されている。
【００２６】
取付装置３は、開閉器１の上面１ｂに固定された本体取付部材２０、吊部材３２、本体取付部材２０に回動可能に軸支される２本の吊下げボルト２２、両吊下げボルト２２の間に架設される板状の支え部材２３、円筒状のスペーサ２５、座金２４ａ、ナット２４を備えている。右側の吊下げボルト２２の支え部材２３とスペーサ２５との間には、固定金具２９が取り付けられている。
【００２７】
本体取付部材２０は、両側部としての両側壁２０ａが長方形板材の両端部が上方へ折り曲げられることにより形成され、両側壁２０ａに軸受孔２０ｂがそれぞれ形成されている。本体取付部材２０の上面において前端寄りの部位には、電柱上の腕金１５を保持する凹部２０ｄが形成された前側腕金保持部材２０ｃが立設されている。本体取付部材２０の前端には、前方、すなわち正面１ａ側へ延出した規制片２０ｅが形成されている。規制片２０ｅは、吊下げボルト２２を前側へ吊部材３２の軸部３１を中心として回動させた際に支え部材２３若しくは吊下げボルト２２が当接し、回動を規制する。本体取付部材２０の上面において後端寄りの部位には、電柱上の腕金１５を保持する凹部２０ｇが形成された後側腕金保持部材２０ｆが立設され、本体取付部材２０の両側壁２０ａに固定されている。
【００２８】
左側の吊下げボルト２２と右側の吊下げボルト２２との間には、支え部材２３が両吊下げボルト２２に沿って上下動可能に架設されている。支え部材２３には、左側の吊下げボルト２２を挿通する孔２３ａと右側の吊下げボルト２２を挿入する溝２３ｂとが形成されている。支え部材２３の左側の吊下げボルト２２の上方には、円筒状のスペーサ２５、座金２４ａ、ナット２４が取り付けられている。支え部材２３の右側の吊下げボルト２２の上方には、固定金具２９、円筒状のスペーサ２５、座金２４ａ、ナット２４が取り付けられている。すなわち、吊下げボルト２２の支え部材２３とナット２４との間にスペーサ２５が環装されている。
【００２９】
開閉器１が電柱上の腕金１５に取り付けられる際には、本体取付部材２０の前側腕金保持部材２０ｃ、後側腕金保持部材２０ｆの各凹部２０ｄ，２０ｇに腕金１５を位置させ、左側の吊下げボルト２２を中心に支え部材２３を回動させ、支え部材２３の溝２３ｂ内に右側の吊下げボルト２２を挿入し、固定金具２９を支え部材２３に係合させる。そして、両吊下げボルト２２に環装されたスペーサ２５を介してナット２４を締め付けることにより、支え部材２３が開閉器１の本体側へ変位され、吊下げ状態で電柱上の腕金１５に取り付けられる。
【００３０】
図２（ｂ）に二点鎖線で示されるように、収納される際には、支え部材２３は規制片２０ｅに当接されるとともに、スペーサ２５を介してナット２４を締め付けることにより、前側腕金保持部材２０ｃに当接固定されている。なお、両側壁２０ａ、前側腕金保持部材２０ｃ、後側腕金保持部材２０ｆの高さ寸法は、支え部材２３の幅寸法と同一寸法に形成されている。
【００３１】
図２（ａ）に示されるように、吊部材３２は、本体取付部材２０の両軸受孔２０ｂに吊下げボルト２２を回動可能に軸支する軸部３１と、その右端部に連結される接続部３４と、接続部３４に連結されて吊下げボルト２２の先端面よりも下方に位置する環状の吊部３３とから構成され、単一の棒材が湾曲されることにより一体に形成されている。
【００３２】
具体的には、吊部材３２の軸部３１は、本体取付部材２０の両側壁２０ａの両軸受孔２０ｂに挿通するとともに、両側壁２０ａの内側に両吊下げボルト２２が回動可能に軸支されている。吊部材３２の吊部３３は、先端部が吊下げボルト２２と同一直線上に位置するとともに、両吊下げボルト２２の間隙の中央に位置している。また、吊部材３２の吊部３３は、支え部材２３の上方に位置するとともに、吊部材３２の頂部、すなわち吊部３３の上部は、両吊下げボルト２２の上方先端以下の高さに設定されている。
【００３３】
吊部材３２の接続部３４は、軸部３１の右側端部に連結し、同右側端部から右側の吊下げボルト２２に沿って支え部材２３より上方へ延びる鉛直部３４ａと、鉛直部３４ａの上端から支え部材２３より上部で、且つナット２４より下部の間で左側へ水平に延び、両吊下げボルト２２の中間位置で吊部３３へ連結する水平部３４ｂとから構成されている。なお、吊部材３２の水平部３４ｂは仮置部を構成する。前述のスペーサ２５の長さは、上端が吊部材３２の接続部３４より上方に位置するようになっている。
【００３４】
図２（ｂ）に示されるように、吊部材３２の吊部３３及び接続部３４は、電柱上の腕金１５を本体取付部材２０及び支え部材２３により吊下げ挟持した際、吊下げボルト２２に接触しないよう吊下げボルト２２に対して傾いて形成されている。具体的には、接続部３４の鉛直部３４ａは、吊下げボルト２２と接触しないように吊下げボルト２２に対して開閉器１の後方、すなわち開閉器１本体の正面１ａの反対側にあたる開閉器１本体の電柱に取り付けられた際に電柱側となる面である背面１ｃ側へ傾いている。そして、吊部材３２の吊部３３は、先端部が吊下げボルト２２と同一直線上に位置するように吊下げボルト２２に対して開閉器１の前方、すなわち開閉器１本体の正面１ａ側へ傾いている。
【００３５】
図１に示されるように、吊部３３は、操作ハンドル１０（正面１ａ）から見て、吊部３３の円の中心Ｐが開閉器１本体の重心Ｇの鉛直上方に位置している。
なお、図２（ｂ）に示されるように、吊部３３の円の中心Ｐが開閉器１本体の重心Ｇの鉛直上方に位置している。これにより、開閉器１を水平に保持でき安定して吊下げることができるため最良である。しかしながら、吊部３３の円の中心Ｐを開閉器１本体の重心Ｇから多少偏移させて開閉器１を任意の方向に傾斜させてもよい。また、両軸受孔２０ｂに挿通された軸部３１は、両側壁２０ａの外側にピン等を設けて抜け防止されている。
【００３６】
次に、前述のように構成された開閉器１の取付装置３の操作態様について説明する。
図２（ｂ）に二点鎖線で示されるように、開閉器１の輸送時には、取付装置３は、両側の吊下げボルト２２及び吊部材３２が本体取付部材２０の上面に対して平行となるように軸部３１を回動中心として回動し、収納された状態とされる。この際、吊下げボルト２２に取り付けられている支え部材２３は、本体取付部材２０の規制片２０ｅに当接し、前側腕金保持部材２０ｃよりも外側に位置している。そして、支え部材２３は、両側のナット２４が手で締め付けられることで、スペーサ２５により前側腕金保持部材２０ｃの外側面に押し付けられ固定されている。また、吊部材３２は、支え部材２３の上方に位置して、両側のナット２４が手で締め付けられることにより、軸部３１が両吊下げボルト２２により両軸受孔２０ｂの内面に押し付けられ固定されている。
【００３７】
開閉器１を電柱上の腕金１５に取り付ける際には、両側のナット２４を緩め、吊部材３２と両吊下げボルト２２とが軸部３１に対して回動可能な状態とする。また、固定金具２９を支え部材２３から外すとともに、右側の吊下げボルト２２から支え部材２３の溝２３ｂを外し、支え部材２３を左側の吊下げボルト２２に対して回動可能な状態とする。その後、吊部材３２を開閉器１の背面１ｃ側へ回動させ、吊部材３２を立設させる。そして、クレーン等のフックを吊部材３２の吊部３３に引っ掛け電柱上の腕金１５まで持ち上げる。この際、図１に示されるように、開閉器１本体の重心Ｇの上方に吊部３３の中心Ｐが位置するため、開閉器１が開閉器１の正面１ａに対して垂直方向となるブッシング１１，１２がそれぞれ突設された両側面１ｄ，１ｅの方向すなわち左右方向に傾くことはなく水平の状態となる。
【００３８】
図２（ａ）に示されるように、電柱上の腕金１５を本体取付部材２０の凹部２０ｄ，２０ｇに当接させる。そして、右側の吊下げボルト２２を開閉器１の背面１ｃ側へ回動させ、右側の吊下げボルト２２を吊部材３２の水平部３４ｂに当接させ仮置きする。また、左側の吊下げボルト２２を開閉器１の背面１ｃ側へ回動させた後、支え部材２３を回動させ、支え部材２３の溝２３ｂ内に右側の吊下げボルト２２を挿入し、固定金具２９を支え部材２３に係合させる。これにより、本体取付部材２０の凹部２０ｄ，２０ｇと支え部材２３との間に腕金１５を挟み、ナット２４をラチェット工具により締め付けることにより開閉器１が電柱上の腕金１５に取り付けられる。この際、スペーサ２５が両吊下げボルト２２の支え部材２３とナット２４との間に環装されているため、ラチェット工具の回動範囲に吊部材３２の接続部３４等がない。よって、ラチェット工具により締め付ける際に、吊部材３２に接触することがないので、作業性がよい。その後、クレーン等のフックを吊部材３２の吊部３３から外し、吊部材３２の吊部３３を開閉器１の背面１ｃ方へ回動し、腕金１５に当接して倒しておく。
【００３９】
開閉器１を電柱上の腕金１５から取り外す際には、ナット２４をラチェット工具により緩め、吊部材３２を立設させる。そして、吊部材３２の吊部３３にクレーン等のフックを引っ掛け、開閉器１を持ち上げ、ナット２４を完全に緩め、支え部材２３の溝２３ｂと右側の吊下げボルト２２との係合を解除し、開閉器１を腕金１５から取り外す。そして、開閉器１が地面に下ろされると、図２（ｂ）に二点鎖線で示されるように、吊下げボルト２２及び吊部材３２は開閉器１の正面１ａ側へ回動され、本体取付部材２０の規制片２０ｅに支え部材２３が当接した状態で、本体取付部材２０に収納される。吊部材３２は、支え部材２３の上方に当接させて、両側のナット２４を手で締め付けると、支え部材２３が前側腕金保持部材２０ｃに接触し、吊部材３２とともに固定される。また、吊部材３２の軸部３１が両軸受孔２０ｂの内面に当接固定される。
【００４０】
以上、説明した実施形態によれば、以下の作用効果を奏することができる。
（１）吊部材３２の吊部３３が支え部材２３の上方、且つ一対の吊下げボルト２２の間隙の中央に位置するとともに、吊部３３の上部が一対の吊下げボルト２２の先端以下の高さに位置する。このため、吊部材３２の吊部３３の高さを抑えることができるので、開閉器１の高さが高くなることはない。よって、開閉器１を吊り上げる際に電線が既に架設されている場合でも所定の位置に配置することができ、電柱上の腕金への取り付け作業が容易となる。
【００４１】
（２）操作ハンドル１０（正面１ａ）から見て、吊部材３２の吊部３３の中心Ｐが開閉器１本体の重心Ｇの鉛直上方に位置する。このため、電柱上の腕金１５への取り付け作業時に開閉器１の左右方向、すなわち開閉器１の正面１ａに対して垂直方向となるブッシング１１，１２がそれぞれ突設された両側面１ｄ，１ｅ方向に傾くことを抑制することができ、安定して吊下げることができる。よって、開閉器１を容易に取り付けることができる。
【００４２】
（３）吊部材３２が吊部３３、両吊下げボルト２２を軸支する軸部３１、吊部３３及び軸部３１を接続する接続部３４を一体に形成されてなるようにしたため、吊部３３と軸部３１を別部材で設ける必要がない。よって、部品点数を少なくすることができ、安価にすることができる。また、吊部材３２は軸部３１により起伏可能に軸支されるため、使用しない際には収容することができ、小型化することができる。
【００４３】
（４）本体取付部材２０の両側壁２０ａの両軸受孔２０ｂに挿通するとともに、２本の吊下げボルト２２は回動可能に吊部材３２の軸部３１に取り付けるようにした。これにより、部品点数を削減できるので、安価にでき、軽量化することもできる。
【００４４】
（５）吊部材３２の吊部３３及び接続部３４は、電柱上の腕金１５を本体取付部材２０及び支え部材２３により吊下げ挟持した際、吊下げボルト２２に接触しないよう吊下げボルト２２に対して傾いて形成されているため、吊下げた際に吊部材３２の吊部３３及び接続部３４が吊下げボルト２２と接触することを抑制することができる。これにより、吊部材３２と吊下げボルト２２との接触による損傷を抑制することができる。
【００４５】
具体的には、接続部３４の鉛直部３４ａが吊下げボルト２２に対して開閉器１の後方へ傾くとともに、吊部３３を、吊下げボルト２２に対して開閉器１の前方へ傾くように形成したため、開閉器１を腕金１５に取り付けた際の吊下げボルト２２の立設時に、吊部材３２の鉛直部３４ａと右側の吊下げボルト２２との接触を抑制することができる。よって、右側の吊下げボルト２２及び吊部材３２の接触による損傷を抑制できるとともに、開閉器１の取り付け作業が容易となる。
【００４６】
また、吊部材３２の吊部３３の先端部を吊下げボルト２２と同一直線上に位置させるとともに、両吊下げボルト２２の間隙の中央に位置させているため、電柱上の腕金１５への取り付け作業時に吊下げボルト２２を容易に立設させることができる。よって、開閉器１の腕金１５への取り付け作業が容易となる。
【００４７】
（６）吊下げボルト２２の支え部材２３とナット２４との間には、下端が支え部材２３の上面に接し、上端が吊部材３２の接続部３４より上方に位置するスペーサ２５が環装されているため、ナット２４の取り付け位置が吊部材３２の接続部３４より上方に位置する。これにより、開閉器１を電柱上の腕金１５に取り付けたり、取り外したりする際にナット２４を回動するラチェット工具が吊部材３２の接続部３４に接触することを抑制することができる。
【００４８】
（７）両側壁２０ａ、前側腕金保持部材２０ｃ、後側腕金保持部材２０ｆの高さ寸法を支え部材２３の幅寸法と同一寸法に形成したため、本体取付部材２０に収納した際、本体取付部材２０から上方へ突出しない。よって、開閉器１の全高寸法を抑えることができるので、小型化することができる。
【００４９】
（８）本体取付部材２０の前端に規制片２０ｅが前方へ延出するようにし吊下げボルト２２及び支え部材２３を当接するようにし、吊部材３２を支え部材２３の上方に位置して収納するようにした。このため、吊部材３２、吊下げボルト２２、及び支え部材２３が開閉器１に当接することがない。よって、開閉器１を損傷することがない。
【００５０】
（９）収納時において支え部材２３を規制片２０ｅに当接するようにし、ナット２４を手で締め付けることにより、前側腕金保持部材２０ｃに当接固定するようにしたため、支え部材２３を容易に固定できるとともに、輸送時に外れることを防止できる。
【００５１】
（１０）収納時においてナット２４を手で締め付けることにより、吊部材３２の軸部３１が両軸受孔２０ｂの内面に当接固定するようにしたため、輸送時に吊部材３２が揺動することがない。
【００５２】
（１１）本体取付部材２０の前側腕金保持部材２０ｃ及び後側腕金保持部材２０ｆに凹部２０ｄと凹部２０ｇとをそれぞれ形成したため、開閉器１を腕金１５に取り付ける際に、腕金１５を位置決めでき容易に取り付けできるとともに、開閉器１のずれを防止できる。
【００５３】
（１２）吊部材３２の水平部３４ｂを支え部材２３より上部で、且つナット２４より下部の間で水平に延びるように形成したため、開閉器１を腕金１５に取り付ける際に、右側の吊下げボルト２２を水平部３４ｂに当接させて仮置きしておくことができる。このため、右側の吊下げボルト２２を立設に近い状態に保持しておくことができるので、支え部材２３の係合が容易となる。よって、開閉器１の腕金１５への取り付け作業が容易となる。
【００５４】
（第２の実施形態）
以下、本発明にかかる配電機器の取付装置を開閉器に具体化した第２の実施形態について、図３を参照して説明する。この実施形態の開閉器１の取付装置４は、吊部材４２の形状と、吊部材４２の連結構造が上記第１の実施形態と異なっている。以下、第１の実施形態との相違点を中心に説明する。
【００５５】
図３（ａ）に示されるように、吊部材４２は、環状の吊部４３と、吊部４３及び右側の吊下げボルト２２に連結される接続部４４とから構成されてなる。接続部４４の吊部４３と反対側の端部は、右側の吊下げボルト２２の支え部材２３より上部で、且つナット２４より下部に連結固定されている。吊部材４２は、単一の棒材が湾曲されることにより一体に形成されている。
【００５６】
詳しくは、吊部材４２の接続部４４は、一端が右側の吊下げボルト２２と左側の吊下げボルト２２とが対向する部位に接続され、左側へ水平に延び、他端が両吊下げボルト２２の中間位置で吊部４３に連結されている。吊部材４２の吊部４３は、先端部が吊下げボルト２２と同一直線上に位置するとともに、両吊下げボルト２２の間隙の中央に位置している。また、吊部材４２の吊部４３は、支え部材２３の上方に位置するとともに、吊部材４２の吊部４３の頂部、すなわち吊部４３の上部は、両吊下げボルト２２の上方先端以下の高さに設定されている。
【００５７】
これに伴い、右側のスペーサ２６は、接続部４４を避けるように接続部４４の径に合わせた開口部が形成され、横断面形状がＣ字状の管となっている。右側のスペーサ２６の長さは、上端が吊部材４２の接続部４４より上方に位置するようになっている。右側のナット２４が締め付けられることにより右側のスペーサ２６が移動する際は、接続部４４の接続部分が右側のスペーサ２６の隙間を通過することができる。なお、左側のスペーサ２５は、円筒状で右側のスペーサ２６と同じ長さとなっている。吊部材４２は、右側の吊下げボルト２２とともに軸部材４１を回動中心として回動する。
【００５８】
本体取付部材２０は、両側部としての両側壁２０ａが形成され、両側壁２０ａに軸受孔２０ｂがそれぞれ形成されている。２本の吊下げボルト２２は、本体取付部材２０の両側壁２０ａの両軸受孔２０ｂに挿通された軸部材４１に回動可能に取り付けられている。
【００５９】
図３（ａ）、（ｂ）に示されるように、操作ハンドル１０（正面１ａ）及び側面１ｄから見て、吊部４３の円の中心Ｐが開閉器１本体の重心Ｇの鉛直上方に位置している。
次に、前述のように構成された開閉器１の取付装置４の操作態様について説明する。
【００６０】
図３（ｂ）に二点鎖線で示されるように、開閉器１の輸送時には、取付装置４は、両側の吊下げボルト２２及び吊部材４２が本体取付部材２０の上面に対して平行となるように軸部材４１を回動中心として回動し、収納された状態とされる。この際、吊下げボルト２２に取り付けられている支え部材２３は、本体取付部材２０の規制片２０ｅに当接し、前側腕金保持部材２０ｃよりも外側に位置している。そして、支え部材２３は、両側のナット２４が手で締め付けられ、前側腕金保持部材２０ｃの外側面に押し付けられることにより固定されている。
【００６１】
開閉器１を電柱上の腕金１５に取り付ける際には、両側のナット２４を緩め、吊部材４２とともに吊下げボルト２２が軸部材４１に対して回動可能な状態とする。また、固定金具２９を支え部材２３から外すとともに、右側の吊下げボルト２２から支え部材２３の溝２３ｂを外し、支え部材２３を吊下げボルト２２に対して回動可能な状態とする。吊下げボルト２２及び吊部材４２を開閉器１の背面１ｃ側へ回動させ、吊部材４２、すなわち右側の吊下げボルト２２を立設させる。そして、クレーン等のフックを吊部材４２の吊部４３に引っ掛け電柱上まで持ち上げる。図３（ａ）に示されるように、腕金１５を本体取付部材２０の凹部２０ｄ，２０ｇと支え部材２３との間に挟み、ナット２４をラチェット工具により締め付けることにより開閉器１が電柱上の腕金１５に取り付けられる。この際、スペーサ２５，２６が吊下げボルト２２の支え部材２３とナット２４との間に環装されているため、ラチェット工具の回動範囲に吊部材４２の接続部４４がなく、接触することを抑制することができる。
【００６２】
開閉器１を電柱上の腕金１５から取り外す際には、吊部材４２の吊部４３にクレーン等のフックを引っ掛け、開閉器１を持ち上げ、ナット２４をラチェット工具により緩め、開閉器１を腕金１５から取り外す。そして、開閉器１が地面に下ろされると、図３（ｂ）に二点鎖線で示されるように、吊下げボルト２２及び吊部材４２は開閉器１の前側へ回動され、本体取付部材２０の規制片２０ｅに支え部材２３が当接した状態で、本体取付部材２０に収納される。両側のナット２４を手で締め付けると、支え部材２３が前側腕金保持部材２０ｃに接触し固定される。
【００６３】
以上、説明した実施形態によれば、第１の実施形態の（２）、（７）、（８）、及び（１１）の作用効果に加え、以下の作用効果を奏することができる。
（１３）吊部材４２の吊部４３を支え部材２３の上方、且つ一対の吊下げボルト２２の間隙の中央に位置するとともに、吊部４３の上部が一対の吊下げボルト２２の先端以下の高さに位置する。このため、吊部材４２の吊部４３の高さを抑えることができるので、開閉器１の高さが高くなることはない。よって、開閉器１を吊り上げる際に電線が既に架設されている場合でも所定の位置に配置することのでき、電柱上の腕金への取り付け作業が容易となる。
【００６４】
（１４）吊部４３と、吊部４３及び吊下げボルト２２の間を連結する接続部４４とが一体形成されてなる吊部材４２を備えるため、部品点数を少なくすることができる。また、吊部材４２を起伏可能に軸部材４１に軸支された吊下げボルト２２の支え部材２３より上部に一体に連結固定するようにし、吊部材４２の吊部４３の先端部を吊下げボルト２２と同一直線上に位置させているため、電柱上の腕金１５への取り付け作業時に吊部４３にて吊り上げるだけで、右側の吊下げボルト２２を容易に立設させることができる。よって、開閉器１の取り付け作業が容易となる。そして、使用しない際には右側の吊下げボルト２２とともに倒しておくことができ、小型化することができる。
【００６５】
（１５）吊下げボルト２２の支え部材２３とナット２４との間には、下端が支え部材２３の上面に接し、上端が吊部材４２の接続部４４より上方に位置するスペーサ２５，２６が環装されているため、ナット２４の取り付け位置が吊部材４２の接続部４４より上方に位置する。これにより、開閉器１を電柱上の腕金１５に取り付けたり、取り外したりする際にナット２４を回動するラチェット工具が吊部材４２の接続部４４に接触することを抑制することができる。
【００６６】
（第３の実施形態）
以下、本発明にかかる配電機器の取付装置を開閉器に具体化した第３の実施形態について、図４を参照して説明する。この実施形態の開閉器１の取付装置５は、吊部材５２の形状と、吊部材５２の連結構造が上記第１の実施形態と異なっている。以下、第１の実施形態との相違点を中心に説明する。
【００６７】
図４（ａ）に示されるように、吊部材５２は、環状の吊部５３と、吊部５３及び右側の吊下げボルト２２に連結される接続部５４とから構成されてなる。接続部５４の吊部５３と反対側の端部は、右側の吊下げボルト２２の支え部材２３より下部に連結固定されている。吊部材５２は、単一の棒材が湾曲されることにより一体に形成されている。
【００６８】
詳しくは、吊部材５２の接続部５４は、下端が右側の吊下げボルト２２の背面１ｃ側の部位に接続され、同接続部位から背面１ｃ側へ水平に延び、右側の吊下げボルト２２に沿って支え部材２３よりも上方へ延び、続いて支え部材２３より上部で、且つナット２４より下部の間で左側へ水平に延び、両吊下げボルト２２の中間位置で吊部５３へ連結する。吊部材５２の吊部５３は、支え部材２３の上方に位置するとともに、両吊下げボルト２２の間隙の中央に位置している。また、吊部材５２の吊部５３の頂部、すなわち吊部５３の上部は、両吊下げボルト２２の上端以下の高さに設定されている。吊部材５２は、右側の吊下げボルト２２とともに軸部材５１を回動中心として回動する。
【００６９】
図４（ａ）及び（ｂ）に示されるように、操作ハンドル１０（正面１ａ）及び側面１ｄから見て、吊部５３の円の中心Ｐが開閉器１本体の重心Ｇの鉛直上方に位置している。
次に、前述のように構成された開閉器１の取付装置５の操作態様について説明する。
【００７０】
図４（ｂ）に二点鎖線で示されるように、開閉器１の輸送時には、取付装置５は、両側の吊下げボルト２２及び吊部材５２が本体取付部材２０の上面に対して平行となるように軸部材５１を回動中心として回動し、収納された状態とされる。この際、吊下げボルト２２に取り付けられている支え部材２３は、本体取付部材２０の規制片２０ｅに当接し、前側腕金保持部材２０ｃよりも外側に位置している。そして、支え部材２３は、両側のナット２４が手で締め付けられることにより、前側腕金保持部材２０ｃの外側面に押し付けられることにより固定されている。
【００７１】
開閉器１を電柱上の腕金１５に取り付ける際には、吊下げボルト２２及び吊部材５２を開閉器１の背面１ｃ側へ回動させ、吊部材５２を立設させる。そして、クレーン等のフックを吊部材５２の吊部５３に引っ掛け電柱上まで持ち上げる。図４（ａ）に示されるように、腕金１５を本体取付部材２０と支え部材２３との間に挟み、ナット２４をラチェット工具により締め付けることにより開閉器１が電柱上の腕金１５に取り付けられる。この際、スペーサ２５が吊下げボルト２２の支え部材２３とナット２４との間にあるため、ラチェット工具の回動範囲に吊部材５２の接続部５４がなく、接触することを防止することができる。
【００７２】
開閉器１を電柱上の腕金１５から取り外す際には、吊部材５２の吊部５３にクレーン等のフックを引っ掛け、開閉器１を持ち上げ、ナット２４をラチェット工具により緩め、開閉器１を腕金１５から取り外す。そして、開閉器１が地面に下ろされると、図４（ｂ）に二点鎖線で示されるように、吊下げボルト２２及び吊部材５２は開閉器１の前側へ回動され、本体取付部材２０の規制片２０ｅに支え部材２３が当接した状態で、本体取付部材２０に収納される。両側のナット２４を手で締め付けると、支え部材２３が前側腕金保持部材２０ｃに接触し固定される。
【００７３】
以上、説明した実施形態によれば、第１の実施形態の（２）、（６）、（７）、（８）、及び（１１）の作用効果に加え、以下の作用効果を奏することができる。
（１６）吊部材５２の吊部５３を支え部材２３の上方、且つ一対の吊下げボルト２２の間隙の中央に位置するとともに、吊部５３の上部が一対の吊下げボルト２２の先端以下の高さに位置する。このため、吊部材５２の吊部５３の高さを抑えることができるので、開閉器１の高さが高くなることはない。よって、開閉器１を吊り上げる際に電線が既に架設されている場合でも所定の位置に配置することのでき、電柱上の腕金への取り付け作業が容易となる。
【００７４】
（１７）吊部５３と、吊部５３及び吊下げボルト２２の間を連結する接続部５４とが一体形成されてなる吊部材５２を備えるため、部品点数を少なくすることができる。また、吊部材５２を起伏可能に軸部材５１に軸支された吊下げボルト２２の支え部材２３より下部に一体に連結固定するようにしたため、電柱上の腕金１５への取り付け作業時に吊部５３にて吊り上げるだけで、右側の吊下げボルト２２を容易に立設させることができる。よって、開閉器１の取り付け作業が容易となる。そして、使用しない際には右側の吊下げボルト２２とともに倒しておくことができ、小型化することができる。
【００７５】
（第４の実施形態）
以下、本発明にかかる配電機器の取付装置を開閉器に具体化した第４の実施形態について、図５を参照して説明する。この実施形態の開閉器１の取付装置６は、吊部材６２の形状と、吊部材６２の連結構造が上記第１の実施形態と異なっている。以下、第１の実施形態との相違点を中心に説明する。
【００７６】
図５（ａ）に示されるように、吊部材６２は、孔が形成された吊部６３と、一端が吊部６３に連結されるとともに、他端が両吊下げボルト２２を軸支する軸部材６１に起伏可能に軸支される接続部６４とから構成されてなる。接続部６４の吊部６３と反対側の端部には、軸部材６１を挿通可能な軸孔６４ａが形成され、軸孔６４ａに軸部材６１が挿通され軸支されている。本体取付部材２０の各側壁２０ａの内側に２本の吊下げボルト２２は回動可能に軸部材６１で取り付けられ、吊部材６２は接続部６４の左側方向へ折り曲げられた部分が右側の吊下げボルト２２の背面１ｃ側に位置するように取り付けられている。本体取付部材２０の側壁２０ａの両軸受孔２０ｂに挿通された軸部材６１は、両側壁２０ａの外側にピン等の金具とナット６５が螺合されることにより抜け防止されている。
【００７７】
吊部材６２は、単一の板材が折曲されることにより一体に形成されている。詳しくは、吊部材６２の接続部６４は、長方形の板材が前側方向と左側方向との９０度に折り曲げられ、接続部６４の頂部６４ｂは、支え部材２３より上部で、且つナット２４より下部の位置に形成されている。接続部６４は、前側方向へ折り曲げられた部分の下側に軸孔６４ａが形成され、左側方向へ折り曲げられた部分の頂部６４ｂの上側に吊部６３が接続されている。吊部材６２の吊部６３は、吊下げボルト２２の背面１ｃ側で、支え部材２３の上方に位置するとともに、両吊下げボルト２２の間隙の中央に位置している。また、吊部材５２の吊部５３の頂部、すなわち吊部５３の上部は、両吊下げボルト２２の上端以下の高さに設定されている。吊部材６２は、軸部材６１を回動中心として回動する。
【００７８】
図５（ｂ）に示されるように、本体取付部材２０の右側の側壁２０ａには、接続部６４の左側方向へ折り曲げられた部分の下部が収容される溝部２０ｈが形成されている。図（ａ）、（ｂ）に示されるように、操作ハンドル１０（正面１ａ）及び側面１ｄから見て、吊部６３の孔の中心Ｐが開閉器１本体の重心Ｇの鉛直上方に位置している。
【００７９】
次に、前述のように構成された開閉器１の取付装置６の操作態様について説明する。
図５（ｂ）に二点鎖線で示されるように、開閉器１の輸送時には、取付装置６は、両側の吊下げボルト２２及び吊部材６２が本体取付部材２０の上面に対して平行となるように軸部材６１を回動中心として回動し、収納された状態とされる。この際、吊下げボルト２２に取り付けられている支え部材２３は、本体取付部材２０の規制片２０ｅに当接し、前側腕金保持部材２０ｃよりも外側に位置している。そして、支え部材２３は、両側のナット２４が手で締め付けられることにより、前側腕金保持部材２０ｃの外側面に押し付けられることにより固定されている。
【００８０】
開閉器１を電柱上の腕金１５に取り付ける際には、吊下げボルト２２及び吊部材６２を開閉器１の背面１ｃ側へ回動させ、吊部材６２を立設させる。そして、クレーン等のフックを吊部材６２の吊部６３に引っ掛け電柱上まで持ち上げる。
【００８１】
図５（ａ）に示されるように、腕金１５を本体取付部材２０の凹部２０ｄ，２０ｇに当接させ、右側の吊下げボルト２２を開閉器１の背面１ｃ側へ回動させる。この時、右側の吊下げボルト２２を吊部材６２の接続部６４の頂部６４ｂに当接させ仮置きしておく。なお、接続部６４の頂部６４ｂは仮置部を構成する。そして、左側の吊下げボルト２２を開閉器１の背面１ｃ側へ回動させた後、支え部材２３を回動させ、支え部材２３の溝２３ｂ内に右側の吊下げボルト２２を挿入し、固定金具２９を支え部材２３に係合させる。これにより、本体取付部材２０の凹部２０ｄ，２０ｇと支え部材２３との間に腕金１５を挟み、ナット２４をラチェット工具により締め付けることにより開閉器１が電柱上の腕金１５に取り付けられる。この際、スペーサ２５が吊下げボルト２２の支え部材２３とナット２４との間にあるため、ラチェット工具の回動範囲に吊部材６２の接続部６４がなく、接触することを防止することができる。
【００８２】
開閉器１を電柱上の腕金１５から取り外す際には、吊部材６２の吊部６３にクレーン等のフックを引っ掛け、開閉器１を持ち上げ、ナット２４をラチェット工具により緩め、開閉器１を腕金１５から取り外す。そして、開閉器１が地面に下ろされると、図５（ｂ）に二点鎖線で示されるように、吊下げボルト２２及び吊部材６２は開閉器１の前側へ回動され、本体取付部材２０の規制片２０ｅに支え部材２３が当接した状態で、本体取付部材２０に収納される。両側のナット２４を手で締め付けると、支え部材２３が前側腕金保持部材２０ｃに接触し固定される。
【００８３】
以上、説明した実施形態によれば、第１の実施形態の（２）、（６）、（７）、（８）、及び（１１）の作用効果に加え、以下の作用効果を奏することができる。
（１８）吊部材６２の吊部６３を支え部材２３の上方、且つ一対の吊下げボルト２２の間隙の中央に位置するとともに、吊部６３の上部が一対の吊下げボルト２２の先端以下の高さに位置する。このため、吊部材６２の吊部６３の高さを抑えることができるので、開閉器１の高さが高くなることはない。よって、開閉器１を吊り上げる際に電線が既に架設されている場合でも所定の位置に配置することのでき、電柱上の腕金への取り付け作業が容易となる。
【００８４】
（１９）吊部材６２の接続部６４の吊部６３と反対側の端部は、一対の吊下げボルト２２とともに軸部材６１によって起伏可能に軸支されるため、使用しない際には倒しておくことができ、小型化することができる。
【００８５】
（２０）吊部材６２は、接続部６４の左側方向へ折り曲げられた部分を吊下げボルト２２の背面１ｃ側に位置するように取り付け、且つ本体取付部材２０の前端に規制片２０ｅが前方へ延出するようにして吊下げボルト２２及び支え部材２３を当接するようにした。このため、吊部材６２、吊下げボルト２２及び支え部材２３が開閉器１に当接することがない。よって、開閉器１を損傷することがなくなる。
【００８６】
（２１）吊部材６２の接続部６４の頂部６４ｂを支え部材２３より上部で、且つナット２４より下部の位置に形成したため、開閉器１を腕金１５に取り付ける際に、右側の吊下げボルト２２を頂部６４ｂに当接させて仮置きしておくことができる。このため、右側の吊下げボルト２２を立設に近い状態に保持しておくことができるので、支え部材２３の係合が容易となる。よって、開閉器１の腕金１５への取り付け作業が容易となる。
【００８７】
なお、上記実施形態は、これを適宜変更した以下の形態にて実施することができる。
・第１の実施形態では、吊部材３２の下端部を軸部３１の右端部に一体に連結したが、吊部材３２の下端部を左側端部に一体に連結するようにしてもよい。
【００８８】
・第２の実施形態では、吊部材４２を右側の吊下げボルト２２に連結固定するようにしたが、吊部材４２を左側の吊下げボルト２２に連結固定するようにしてもよい。
・第３の実施形態では、吊部材５２を右側の吊下げボルト２２に連結固定するようにしたが、吊部材５２を左側の吊下げボルト２２に連結固定するようにしてもよい。
【００８９】
・第４の実施形態では、吊部材６２を軸部材６１の右端部に軸支されるようにしたが、吊部材６２を軸部材６１の左端部に軸支されるようにしてもよい。
・上記実施形態では、左右両側のスペーサ２５（２６）を同じ長さとしたが、吊部材３２，４２，５２，６２の接続部３４，４４，５４，６４が存在しない側のスペーサを短くしてもよい。また、スペーサをなくしてもよい。このようにすれば、コストダウンが図れる。
【００９０】
・上記実施形態では、本体取付部材２０の前側腕金保持部材２０ｃ及び後側腕金保持部材２０ｆの両部材に凹部２０ｄ，２０ｇを形成したが、いずれか一方の腕金保持部材だけに凹部を形成してもよい。このようにしても、開閉器１を腕金１５に取り付ける際に、腕金１５を位置決めでき容易に取り付けできるとともに、開閉器１のずれを防止できる。
【００９１】
・上記実施形態では、本体取付部材２０の前側腕金保持部材２０ｃ及び後側腕金保持部材２０ｆの両部材に凹部２０ｄ，２０ｇを１段形成したが、腕金１５のサイズに合わせて複数段の凹部を形成してもよい。このようにすれば、どのようなサイズの腕金１５にも取り付けることが可能となる。
【００９２】
・上記実施形態では、支え部材２３、座金２４ａ、スペーサ２５（２６）を別体で構成したが、スペーサと座金、左側においては支え部材とスペーサまたは支え部材と座金とスペーサのように一体に構成してもよい。このようにすれば、開閉器１を腕金１５に取り付ける際に、取り付け作業が容易になり、作業時間が短縮できる。
【００９３】
・上記実施形態では、開閉器に具体化したが、遮断器等の配電機器に適宜変更可能である。
【図面の簡単な説明】
【００９４】
【図１】開閉器及び取付装置の正面図。
【図２】（ａ）取付装置の正面図、（ｂ）取付装置の側面図。
【図３】（ａ）取付装置の正面図、（ｂ）取付装置の側面図。
【図４】（ａ）取付装置の正面図、（ｂ）取付装置の側面図。
【図５】（ａ）取付装置の正面図、（ｂ）取付装置の側面図。
【符号の説明】
【００９５】
１…開閉器、１ａ…正面、１ｂ…上面、１ｃ…背面、１ｄ，１ｅ…側面、３，４，５，６…取付装置、１０…操作ハンドル、１１，１２…ブッシング、１５…腕金、２０…本体取付部材、２０ａ…側壁、２０ｂ…軸受孔、２０ｃ…前側腕金保持部材、２０ｄ…凹部、２０ｅ…規制片、２０ｆ…後側腕金保持部材、２０ｇ…凹部、２０ｈ…溝部、２２…吊下げボルト、２３…支え部材、２３ａ…孔、２３ｂ…溝、２４…ナット、２４ａ…座金、２５，２６…スペーサ、２７…ボルト、２８…ナット、２９…固定金具、３１…軸部、３２，４２，５２，６２…吊部材、３３，４３，５３，６３…吊部、３４，４４，５４，６４…接続部、３４ａ…鉛直部、３４ｂ…水平部、４１，５１，６１…軸部材、６４ａ…軸孔、６４ｂ…頂部、６５…ナット、Ｇ…重心、Ｐ…中心。
【図１】
0005009747.tif 000002
【図２】
0005009747.tif 000003
【図３】
0005009747.tif 000004
【図４】
0005009747.tif 000005
【図５】
0005009747.tif 000006